(57)【要約】【課題】商品陳列棚の最下段の陳列棚をそのままの状態で利用すると共に、この陳列棚における商品の移動や補充を楽に行うことができるスライド式商品陳列棚を提供すること。【解決手段】床面１２よりやや高い位置に棚板面１１を有する商品陳列棚１０の棚板面１１に前後方向スライド自在に置かれる商品陳列台１であって、平板状水平部材の本体部２ａ及び本体部２ａの前方端に付設される商品陳列棚１０の下端部を覆う前端部２ｂとからなる商品陳列部２と、本体部２ａの裏面２１１の前端部２ｂ側に付設される床面１２と接地するキャスター４からなる。【選択図】　　　図１
2004049251.tif 000002
【特許請求の範囲】
【請求項１】
少なくとも床面よりやや高い位置に棚板面を有する商品陳列棚の該棚板面に前後方向スライド自在に置かれる商品陳列台であって、水平部材の商品陳列部と、該商品陳列部の前方裏面に付設される該床面と接地するキャスターからなることを特徴とするスライド式商品陳列台。
【請求項２】
少なくとも床面よりやや高い位置に棚板面を有する商品陳列棚の該棚板面に前後方向スライド自在に置かれる商品陳列台であって、水平部材の本体部及び該本体部の前方端に付設される該商品陳列棚の下端部を覆う前端部とからなる商品陳列部と、該本体部の裏面の該前端部側に付設される該床面と接地するキャスターからなることを特徴とするスライド式商品陳列台。
【請求項３】
前記本体部の裏面の前後方向に付設されるローラーを更に有することを特徴とする請求項１又は２記載のスライド式商品陳列台。
【請求項４】
前方向へのスライド過程において、該棚板面から前方向へのスライドを規制するストッパーを更に有することを特徴とする請求項１〜３のいずれか１項記載のスライド式商品陳列台。
【発明の詳細な説明】
【０００１】
【発明の属する技術分野】
本発明は、ゴンドラ状商品陳列棚の最下段にある棚板面上の商品の前出し移動や商品の陳列作業を行い易くするスライド式商品陳列台に関するものである。
【０００２】
【従来の技術】
従来、スーパー等の店内で商品を陳列する方法として、上下方向に複数の陳列棚を設けたいわゆるゴンドラと呼ばれる商品陳列棚を使用し、この陳列棚に商品を並べる方法が、簡単な構造で且つ設置面積当たりの商品陳列面積が大きく採れる点で好適に用いられている。一方、商品は陳列棚の手前の方から順次売れるから、時間がたつにつれ陳列棚の手前には商品が無くなったり、極く少量になったりする。この場合、客は陳列棚の奥の方にある商品を見逃したり、何となく取り辛かったりして、購買意欲が急速に低下し商品の売れ行きに悪い影響を及ぼす。従って、陳列棚の奥の方にある商品を店員が手前に移すなどして、陳列商品の存在を維持し、客の購買意欲の低下を排除している。また、新たな陳列商品を補充する場合にも、陳列棚の奥の方にある商品を店員が手前に移し、奥の方に新たな商品を置くなどする作業は頻繁に行われている。
【０００３】
【発明が解決しようとする課題】
しかしながら、ゴンドラの最下段の陳列棚において、商品の前出し作業や新たな商品を補充する作業は、腰をかがめ手を奥まで入れて商品の移動や陳列を行う必要があり、かなりの重労働である。また、手がその上の陳列棚に激突することもありやっかいである。特に最下段の陳列棚は重量のある商品を置くことが多く、このような作業を更に苦痛なものにしている。これを解決するものとして、ゴンドラの最下段の陳列棚の寸法に相当する天板に四輪キャスターを設置した台車を、最下段の陳列棚に置き換える方法も知られている。しかし、この台車に置き換える方法は、既存の最下段の陳列棚を取り外さなければならないという問題がある。更に取り外された陳列棚は廃棄処分とするか、あるいは保管管理する必要があるなど面倒な問題を残すものである。
【０００４】
従って、本発明の目的は、商品陳列棚の最下段の陳列棚をそのままの状態で利用すると共に、この陳列棚における商品の移動や補充を楽に行うことができるスライド式商品陳列棚を提供するものである。また、本発明の他の目的は、人の目を惹くスライド式商品陳列棚を提供するものである。
【０００５】
【課題を解決するための手段】
かかる実情において、本発明者は鋭意検討を行った結果、水平部材の商品陳列部と、該商品陳列部の前方の裏面に付設されるキャスターからなる商品陳列棚を該キャスターを床面に接地させ、商品陳列部の本体部分をゴンドラの最下段の棚板面にのせ、前後方向に移動自在に設置すれば、最下段の商品の移動や補充を楽に行うことができること、更に、水平部材の前端に下方を覆う前端部を設ければ、前端部がゴンドラの最下段の棚板前方端より少し前へ突出しているため、人の目を惹くことができることなどを見出し、本発明を完成するに至った。
【０００６】
すなわち、本発明（１）は、少なくとも床面よりやや高い位置に棚板面を有する商品陳列棚の該棚板面に前後方向スライド自在に置かれる商品陳列台であって、水平部材の商品陳列部と、該商品陳列部の前方裏面に付設される該床面と接地するキャスターからなることを特徴とするスライド式商品陳列台を提供するものである。本発明によれば、スライド式商品陳列台に新たな商品を補充する場合、商品が陳列された商品陳列台を手前に引き出し、奥にある商品が取り出し易い位置において、この奥にある商品を該商品陳列部の前方に移す。次いで、新たな商品を奥側に陳列し、その後、商品陳列台を後方に押しやれば、ゴンドラ商品陳列棚の最下段の陳列棚をそのままの状態で利用できると共に、この最下段の棚板面における商品の移動や補充を楽に行うことができる。
【０００７】
また、本発明（２）は、少なくとも床面よりやや高い位置に棚板面を有する商品陳列棚の該棚板面に前後方向スライド自在に置かれる商品陳列台であって、水平部材の本体部及び該本体部の前方端に付設される該商品陳列棚の下端部を覆う前端部とからなる商品陳列部と、該本体部の裏面の該前端部側に付設される該床面と接地するキャスターからなることを特徴とするスライド式商品陳列台を提供するものである。本発明によれば、前記発明と同様の効果を奏する他、前端部は商品陳列棚の前方端より少し前へ突出しているため人の目を惹く陳列形態を演出することができる。
【０００８】
また、本発明（３）は、前記本体部の裏面の前後方向に付設されるローラーを更に有する前記スライド式商品陳列台を提供するものである。本発明によれば、商品陳列部に重量物が載置された場合であっても、前方への引き出しや後方への押しやりを容易に行うことができる。また、本発明（４）は、前方向へのスライド過程において、該棚板面から前方向へのスライドを規制するストッパーを更に有する前記スライド式商品陳列台を提供するものである。本発明によれば、この商品陳列台を前方に引き出す際、勢い余って、棚板面から転落することがない。
【０００９】
【発明の実施の形態】
次に、本発明の実施の形態におけるスライド式商品陳列台を図１〜図６を参照して説明する。図１は第１の実施の形態におけるスライド式商品陳列台の使用状況を説明する図、図２は本例のスライド式商品陳列台の裏面から見た一部を切断して示す斜視図、図３は本例のスライド式商品陳列台を使用するゴンドラの側面図、図４は第２の実施の形態におけるスライド式商品陳列台の分解図、図５はキャスターの伸縮機構を説明する図、図６は本例のスライド式商品陳列台の水平部材の他の形態を説明する図をそれぞれ示す。
【００１０】
本実施の形態例のスライド式商品陳列台１は、少なくとも床面１２よりやや高い位置に棚板面１１を有する商品陳列棚１０の棚板面１１に前後方向スライド自在に置かれる商品陳列台１であって、平板状水平部材の本体部２ａ及び本体部２ａの前方端に付設される商品陳列棚１０の下端部を覆う前端部２ｂとからなる商品陳列部２と、本体部２ａの裏面２１１の前端部２ｂ側に付設される床面１２と接地するキャスター４からなる。
【００１１】
スライド式商品陳列台１が使用される商品陳列棚１０としては、少なくとも床面１２よりやや高い位置に棚板面１１を有する商品陳列棚であれば特に制限されないが、いわゆるゴンドラと称される陳列棚が挙げられる。ゴンドラは、例えば、図３に示すように、複数の陳列棚、本例では５段の陳列棚３１〜３５を上下方向に有し、その最下段の陳列棚３５の棚板面１１は床面１２よりやや高い位置にあり、フラットな面を形成している。本例のスライド式商品陳列台１はこの最下段の棚板面１１にその本体部２ａを載せて使用する。
【００１２】
商品陳列部２を構成する本体部２ａは、裏面が商品陳列棚の棚板面１１に載置され、表面が商品陳列面となり、その形状は奥行き寸法が棚板面１１よりやや大きく、横幅寸法は、適宜の長さに設定された矩形状で且つ平板状水平部材である。本体部２ａの後方端には後方部材２３が立設され、該後方部材２３の手前には本体部２ａの表面に形成された横溝２２に嵌合し立設する商品Ａの後方への転落を防止する背もたれ部材５を有している。背もたれ部材５は横溝２２との嵌合と後方部材２３の支持により安定して立設される。前端部２ｂは本体部２ａの前方端から下方に屈曲する覆い部材である。前端部２ｂはスライド式商品陳列台１を後方へ押しやった際、最下段の陳列棚３５の前端部より少し前へ突出する。この前端部２ｂにより、商品陳列棚１０の下方部分やキャスター４が目隠しされると共に、前端部２ｂの表面がやや凸面を形成しているため人の目を惹く陳列の演出効果を高めることもできる。前端部２ｂは前方へ突出し過ぎると、通行の障害となるため好ましくない。また、前端部２ｂの高さ寸法は特に制限されないが、その下端が床面１２に接地しない程度の長さであればよい。この長さが短すぎるとキャスター４が人の目に触れることになり意匠面で好ましくない。また、本体部２ａと前端部２ｂの境界部分には横溝３６を有し、この横溝３６には商品転落防止板６が嵌め込まれている。なお、本発明のスライド式商品陳列台１には、後方部材２３や背もたれ部材５の設置を省略してもよい。
【００１３】
本体部２ａの裏面２１１には、前方の２箇所に床面１２と接地するキャスター４、４が付設されている。キャスター４は固定キャスター又は自在キャスターのいずれでもよいが、固定キャスターを用いることが、スライド式商品陳列台１を引き出す際の方向性が定まる点で好適である。また、キャスター４は上下方向にある程度長さ調整できるものが、床面１２から最下段の棚板面１１までの距離が異なる商品陳列棚１０への転用ができる点で好適である。上下方向に長さを調整できる方法としては、図５に示すような公知の長さ調整手段を用いることができ、例えば内管５１ａと外管５１ｂが伸縮自在に嵌合し且つ所定ピッチ毎に貫通孔５３を複数設けた二重管５１であって、上方外管５１ｂの上端を本体部の裏面２１１に固定し、下方内管５１ａの下端をキャスター支持部材４１に固定し、内管５１ａ及び外管５１ｂを嵌合させ所望の貫通孔５３に蝶螺子５４を差し込むことで長さを規定すると共に二重管５１の伸縮を固定するものが挙げられる。
【００１４】
本体部２ａの裏面２１１には、両側方向で且つ前後方向に一対のローラー７、７が付設されている。これにより、商品陳列部２に重量物が載置された場合であっても、前方への引き出しや後方への押しやりを容易に行うことができる。ローラー７、７としては、特に制限されないが、回転可能に軸支された円筒ローラーを前後方向に多数配設されたものが、耐重量性及び回転安定性に優れ移動を円滑に行わせることができる点で好適である。また、円筒ローラの大部分が本体部２ａに埋設され、残部の円筒部分のわずかが裏面２１１から突出するものが、見た目にも自然で安定性がある点で好適である。
【００１５】
本体部２ａの裏面２１１には、中央部で且つ前後方向にストッパー９の対部材である凹溝８ａが形成されている。ストッパー９はスライド式商品陳列台１の前方向へのスライド過程において、棚板面１１から前方向へのスライドを規制するもので、これにより、商品陳列台１を前方に引き出す際、勢い余って、商品陳列部２の後端が棚板面１４から転落することを防止する。ストッパー９のもう一方の対部材としては、例えば短冊状の板材の前部を上方に屈曲させた前方係合片８２と板材の後部を下方に屈曲させた後方係合片８１を有するクランク状係合部材８ｂが使用される（図４参照）。ストッパー９は凹溝８とクランク状係合部材８ｂが係合することにより構成されるものであり、従って、凹溝８は前方係合片８２が前後方向にスライド自在に嵌め込まれる幅寸法とスライド式商品陳列台１のスライド移動長さ分の寸法を有するものである。クランク状係合部材８ｂの後方係合片８１は棚板面１１の後方端に掛かり留めで固定され、前方係合片８２が凹溝８ａに嵌め込まれる。クランク状係合部材８ｂと凹溝８ａの係合関係は、商品陳列台１が後方に押し込まれた状態で凹溝８ａの前方内壁面と前方係合片８２が当接又は近接状態にあり、商品陳列台１が前方に引き出された状態で凹溝８ａの後方内壁面と前方係合片８２が当接又は近接状態にある。
【００１６】
次に、第１の実施の形態におけるスライド式商品陳列台１をゴンドラ１０に設置する方法及びその使用方法を説明する。スライド式商品陳列台１をゴンドラ１０に設置するには、商品陳列部２の本体部２ａを最下段の棚板面１１に置き、キャスターを床面１２に接地させるだけでよい。この際、クランク状係合部材８ｂを棚板面１１と本体部２ａの裏面２１１の凹溝８ａとの間に係合させておく。このように、本例のスライド式商品陳列台１によれば、従来例のように、最下段の陳列棚３５を取り外す必要もなく、既存のゴンドラにも適用できる。スライド式商品陳列台１を使用するには、最下段の陳列棚３５に対してスライド式商品陳列台１を後方へ押しやる（図３の実線部分）。この状態が商品Ａを陳列する形態である。この陳列形態では前端部２ｂが少し突出しているため、人の目を惹く陳列の演出効果がある。この状態で商品Ａは前方から売れていき、奥にある商品を前出しすると共に、新しい商品を補充することになる。そして、店員はスライド式商品陳列台１を前方へ引き出す。この際、商品Ａが重量物であっても、本体部２ａの裏面に付設された円筒ローラー７とキャスター４の協働作用により商品陳列台１は円滑に引き出される（図３の破線部分）。この状態であれば、奥にあった商品Ａ１が取り出し易い位置にでてくるため、この奥にある商品Ａ１を商品陳列部２の前方に移す。次いで、新たな商品を奥側に陳列し、その後、商品陳列台２を後方に押しやれば、再度、当初の陳列形態を極めて容易な作業で再現できる。
【００１７】
次に、本発明の第２の実施の形態におけるスライド式商品陳列台を図４を参照して説明する。図４において、図１に示す第１の実施の形態例と同一の構成要素には同一符号を付してその説明を省略し、異なる点について主に説明する。すなわち、第２の実施の形態例のスライド式商品陳列台１ａにおいて、第１の実施の形態例のスライド式商品陳列台１と異なる点は、本体部２ａの表面に網状の仕切り部材２０を固定するための嵌合孔２５を左右両側部分に設け、この嵌合孔２５に網状の仕切り部材２０の下端に付設された線材２９を嵌合するようにしたものである。また、左右両側の網状の仕切り部材２０の前方端の線材には係合凹部２８ａを有し、係合凸部２８ｂを左右両側部に設けた前方網状の仕切り部材２１を設置するようにした点である。このような網状の仕切り部材２０、２１を商品陳列部２の本体部２ａの左右両側と前方に設けたことにより、ばらもの商品の陳列に好適な陳列形態を演出できる。網状の仕切り部材２０、２１の設置形態は任意であり、左右両側に対して、更に中央部に更に１枚配してもよいし、また、前方の網状の仕切り部材２１を省略してもよい。
【００１８】
本例のスライド式商品陳列台１は、前端部２ｂを省略することもできる。この場合、本体部２ａが水平部材である商品陳列部を構成する。また、キャスター４は、該商品陳列部の前方裏面に付設される。このような構成のスライド式商品陳列台１は前端部が省略されているため、商品陳列棚の下方端が客の目から見えてしまい意匠性にやや欠けるものの、それ以外は前端部が付設されているスライド式商品陳列台１と同様の効果を奏することができる。
【００１９】
また、本例のスライド式商品陳列台１における水平部材の本体部２ａとしては、図１に示すような平板状のものに限定されず、例えば本体部２ａの表面に、前後方向に多数の横リブ６１を形成したものであってもよい（図６）。このような横リブ６１は水平部材の表面から微小突起が立設する形態であるため、陳列商品の滑りを防止することができる。また、商品陳列棚の最下段の陳列棚が、水平部材の前端にＰＯＳレールや商品転落防止板などの突起部が存在し、本発明のスライド式商品陳列台の本体部や商品載置部が乗る面が水平面でないような場合、突起部の後方側に厚めの合板を置き水平面を形成する方法や、本発明のスライド式商品陳列台の本体部や商品陳列台の裏面にその段差に相当する逃げ代、すなわち、くり抜き部分を形成する方法などで載置面の安定性や前後方向へのスライドを円滑にすることができる。
【００２０】
【発明の効果】
本発明のスライド式商品陳列台によれば、商品陳列棚の最下段の陳列棚をそのままの状態で利用できると共に、この陳列棚における商品の移動や補充を楽に行うことができる。また、前端部は商品陳列棚の前方端より少し前へ突出しているため人の目を惹く陳列形態を演出することができる。また、商品陳列部に重量物が載置された場合であっても、前方への引き出しや後方への押しやりを容易に行うことができる。また、この商品陳列台を前方に引き出す際、勢い余って、棚板面から転落することがない。
【図面の簡単な説明】
【図１】第１の実施の形態のスライド式商品陳列台の使用状況を説明する図である。
【図２】本例のスライド式商品陳列台の裏面から見た一部を切断した斜視図である。
【図３】本例のスライド式商品陳列台を使用するゴンドラの側面図である。
【図４】第２の実施の形態におけるスライド式商品陳列台の分解図である。
【図５】キャスターの伸縮機構を説明する図である。
【図６】本例のスライド式商品陳列台の水平部材の他の形態を示す図である。
【符号の説明】
１、１ａ　　　　スライド式商品陳列台
２　　　　商品陳列部
２ａ　　　本体部
２ｂ　　　前端部
４　　　　キャスター
５　　　　背もたれ部材
６　　　　商品転落防止板
７　　　　ローラー
８ａ　　　凹溝
８ｂ　　　クランク状係合部材
９　　　　ストッパー
１０　　　　商品陳列棚（ゴンドラ）
１１　　　　棚板面
１２　　　　床面
２０、２１　網状の仕切り部材
２２、３６　横溝
２３　　　　後方部材
３１〜３５　陳列棚
５１　　　　二重管
５１ａ　　　内管
５１ｂ　　　外管
５３　　　　貫通孔
５４　　　　蝶螺子
６１　　　　横リブ
Ａ　　　　　商品
【図１】
2004049251.tif 000003
【図２】
2004049251.tif 000004
【図３】
2004049251.tif 000005
【図４】
2004049251.tif 000006
【図５】
2004049251.tif 000007
【図６】
2004049251.tif 000008